(57)【要約】【解決手段】プリンター（１００）は、筐体（２００）と、操作部（６）と、発光部（６１）と、カバー（６０）と、押さえ部材（６２）と、を備える。操作部（６）は、基準面（２０１Ｂ）と、基準面（２０１Ｂ）に沿って配置され所定の情報が表示されるＬＣＤパネル（２０４）と、基準面（２０１Ｂ）から突設される操作キー（２０２）と、を含む。発光部（６１）は、操作部（６）に隣接して配置され、所定の報知情報に基づいて発光する。カバー（６０）は、ＬＣＤパネル（２０４）および操作キー（２０２）をカバーする。押さえ部材（６２）は、カバー（６０）を押さえるとともに、発光部（６１）を支持する。
2015182324.tif 000002
【特許請求の範囲】
【請求項１】
シートに画像を形成する画像形成装置であって、
装置本体と、
前記装置本体に配置され、前記シートに画像を形成する画像形成部と、
前記装置本体の外周部に配置された操作部であって、基準面と、前記基準面に沿って配置され所定の情報が表示される表示部または前記基準面から突設される操作キーのうち少なくとも一方と、を含む操作部と、
前記操作部に隣接して配置され、所定の報知情報に基づいて発光する発光部と、
前記表示部または前記操作キーのうち少なくとも一方の周囲を覆うように、前記基準面に対向して配置されるカバー部材と、
前記装置本体に対して着脱可能とされる押さえ部材と、
を有し、
前記押さえ部材は、前記発光部の一部を前記装置本体の外部に露出させるように前記発光部を支持する支持部と、前記カバー部材を前記基準面に向かって押さえる押さえ部とを含む、画像形成装置。
【請求項２】
前記装置本体は、一の壁面と、前記壁面の一部が凹没して形成され、前記壁面と平行な前記基準面と、を備え、
前記発光部は、前記壁面よりも前記装置本体の外側に突出するように前記基準面から突設され、
前記押さえ部材の前記支持部は、前記発光部のうち前記基準面から突出した領域を支持する請求項１に記載の画像形成装置。
【請求項３】
前記発光部は、前記基準面よりも前記装置本体の内側に配置された発光素子と、前記発光素子に対向して配置され、前記基準面から前記壁面よりも前記装置本体の外側に突設された導光体とを備える請求項２に記載の画像形成装置。
【請求項４】
前記発光素子および前記導光体は、前記基準面に沿った第１方向に間隔をおいて複数配置され、
前記押さえ部材の前記支持部は、前記第１方向に間隔をおいて複数形成され、前記導光体がそれぞれ挿通される切欠き部である請求項３に記載の画像形成装置。
【請求項５】
前記カバー部材は、一辺が前記第１方向に沿うように配置された略矩形形状からなり、
前記押さえ部材の前記押さえ部は、前記第１方向と交差する第２方向において、前記切欠き部とは反対側で、前記カバー部材の前記一辺を押さえる請求項４に記載の画像形成装置。
【請求項６】
前記操作部は、少なくとも前記表示部を含み、
前記カバー部材は、透明部材からなり、前記表示部を覆うように配置される請求項１に記載の画像形成装置。
【請求項７】
前記操作部は、少なくとも前記操作キーを含み、
前記カバー部材は、前記操作キーが挿通され前記操作キーを露出させる操作キー用開口部を備える請求項１に記載の画像形成装置。
【請求項８】
前記操作部は、前記基準面と前記カバー部材との間に配置され、前記操作キーの操作情報が表示された情報シートを備える請求項７に記載の画像形成装置。
【発明の詳細な説明】
【技術分野】
【０００１】
本発明は、シートに画像を形成する画像形成装置に関する。
【背景技術】
【０００２】
従来、シートに画像を形成する画像形成装置として、特許文献１に開示されたものが知られている。画像形成装置は、内部に画像形成部が備えられた装置本体を有する。装置本体には、使用者が操作する操作キーおよび表示パネルを含む操作部が備えられている。また、操作部には、着脱可能な操作シートが配置される。操作シートには、表示パネルや操作キーを露出させる開口部が形成されるとともに、各種のキー情報が印刷されている。また、画像形成装置の動作状態を報知するために、操作部の近傍に発光部を備えた画像形成装置が知られている。
【先行技術文献】
【特許文献】
【０００３】
【特許文献１】特開２００８−８７８７７号公報
【発明の概要】
【発明が解決しようとする課題】
【０００４】
特許文献１に記載された技術では、操作部において操作シート全体が外部に露出しているため、操作シートや表示部が汚れやすいという問題があった。更に、画像形成装置の使用に伴って、発光部が汚れると、画像形成装置の動作状態が認識されにくいという問題があった。【０００５】
本発明は、上記問題に鑑みてなされたものであり、操作部の汚れを抑止するとともに、操作部および発光部の清掃が容易に実現可能な画像形成装置を提供することを目的とする。
【課題を解決するための手段】
【０００６】
本発明の一局面に係る画像形成装置は、シートに画像を形成する画像形成装置である。当該画像形成装置は、装置本体と、画像形成部と、操作部と、発光部と、カバー部材と、押さえ部材とを有する。前記画像形成部は、前記装置本体に配置され、前記シートに画像を形成する。前記操作部は、前記装置本体の外周部に配置され、基準面を含む。また前記操作部は、前記基準面に沿って配置され所定の情報が表示される表示部または前記基準面から突設される操作キーのうち少なくとも一方を含む。前記発光部は、前記操作部に隣接して配置され、所定の報知情報に基づいて発光する。前記カバー部材は、前記表示部または前記操作キーのうち少なくとも一方の周囲を覆うように、前記基準面に対向して配置される。前記押さえ部材は、前記装置本体に対して着脱可能とされる。前記押さえ部材は、支持部と、押さえ部とを含む。前記支持部は、前記発光部の一部を前記装置本体の外部に露出させるように前記発光部を支持する。前記押さえ部は、前記カバー部材を前記基準面に向かって押さえる。【０００７】
本構成によれば、カバー部材が、表示部または操作キーの周囲を覆うように、基準面に対向して配置される。このため、表示部や操作キーの周辺が汚れることが抑止される。また、押さえ部材は、カバー部材を押さえる機能と、発光部を支持する機能とを備える。更に、押さえ部材が脱離されることで、カバー部材の内側や発光部の一部を清掃することが可能となる。【０００８】
上記の構成において、前記装置本体は、一の壁面と、前記壁面の一部が凹没して形成され、前記壁面と平行な前記基準面と、を備え、前記発光部は、前記壁面よりも前記装置本体の外側に突出するように前記基準面から突設され、前記押さえ部材の前記支持部は、前記発光部のうち前記基準面から突出した領域を支持することが望ましい。【０００９】
本構成によれば、発光部は装置本体の壁面から突出するように配置される。このため、装置本体の外部から発光部が視認されやすく、所定の報知情報が認識されやすくなる。更に、押さえ部材の支持部が発光部のうち前記基準面から突出した領域を支持するため、発光部の破損が防止される。【００１０】
上記の構成において、前記発光部は、前記基準面よりも前記装置本体の内側に配置された発光素子と、前記発光素子に対向して配置され、前記基準面から前記壁面よりも前記装置本体の外側に突設された導光体とを備えることが望ましい。【００１１】
本構成によれば、発光素子が基準面よりも装置本体の内側に配置されるため、発光素子に強い外力が加わることが防止される。また、発光素子の光が導光体によって装置本体の壁面よりも外側に導かれる。【００１２】
上記の構成において、前記発光素子および前記導光体は、前記基準面に沿った第１方向に間隔をおいて複数配置され、前記押さえ部材の前記支持部は、前記第１方向に間隔をおいて複数形成され、前記導光体がそれぞれ挿通される切欠き部であることが望ましい。【００１３】
本構成によれば、発光素子および導光体が複数配置されるため、光の色または発光点の数によって、異なる情報を報知することができる。また、押さえ部材に形成された切欠き部に導光体が挿通されることで、導光体が安定して支持される。【００１４】
上記の構成において、前記カバー部材は、一辺が前記第１方向に沿うように配置された略矩形形状からなり、前記押さえ部材の前記押さえ部は、前記第１方向と交差する第２方向において、前記切欠き部とは反対側で、前記カバー部材の前記一辺を押さえることが望ましい。【００１５】
本構成によれば、押さえ部材の第２方向の一端側と他端側とを利用して、導光体が支持されるとともに、カバー部材が押さえられる。【００１６】
上記の構成において、前記操作部は、少なくとも前記表示部を含み、前記カバー部材は、透明部材からなり、前記表示部を覆うように配置されることが望ましい。【００１７】
本構成によれば、カバー部材が透明部材からなるため、表示部の表示情報が安定して視認される。また、表示部が汚れることが防止される。【００１８】
上記の構成において、前記操作部は、少なくとも前記操作キーを含み、前記カバー部材は、前記操作キーが挿通され前記操作キーを露出させる操作キー用開口部を備えることが望ましい。【００１９】
本構成によれば、カバー部材によって操作キーの周囲に埃などが進入することが防止される。【００２０】
上記の構成において、前記操作部は、前記基準面と前記カバー部材との間に配置され、前記操作キーの操作情報が表示された情報シートを備えることが望ましい。【００２１】
本構成によれば、情報シートに表示された操作情報によって、操作キーの操作性が向上される。また、情報シートが汚れることがカバー部材によって防止される。
【発明の効果】
【００２２】
本発明によれば、操作部の汚れを抑止するとともに、操作部および発光部の清掃が容易に実現可能な画像形成装置が提供される。
【図面の簡単な説明】
【００２３】
【図１】本発明の一実施形態に係る画像形成装置の斜視図である。
【図２】本発明の一実施形態に係る画像形成装置の内部構造を概略的に示す断面図である。
【図３】本発明の一実施形態に係る画像形成装置の外観の一部を拡大した斜視図である。
【図４Ａ】本発明の一実施形態に係る画像形成装置の操作部の断面斜視図である。
【図４Ｂ】本発明の一実施形態に係る画像形成装置の操作部の断面図である。
【図４Ｃ】本発明の一実施形態に係る画像形成装置の操作部の一部の断面図である。
【図５】本発明の一実施形態に係る画像形成装置の操作部周辺の装置本体の斜視図である。
【図６】本発明の一実施形態に係る発光部の斜視図である。
【図７】本発明の一実施形態に係る画像形成装置のカバー部材の斜視図である。
【図８Ａ】本発明の一実施形態に係る押さえ部材の斜視図である。
【図８Ｂ】本発明の一実施形態に係る押さえ部材の一部を拡大した断面斜視図である。
【図９Ａ】本発明の一実施形態に係る画像形成装置の操作部の一部の断面図である。
【図９Ｂ】本発明の一実施形態に係る画像形成装置の操作部の一部の断面図である。
【図９Ｃ】本発明の一実施形態に係る画像形成装置の操作部の一部の断面図である。
【図１０Ａ】本発明の一実施形態に係る画像形成装置の操作部の一部の断面斜視図である。
【図１０Ｂ】本発明の一実施形態に係る画像形成装置の操作部の一部の断面斜視図である。
【発明を実施するための形態】
【００２４】
以下、図面を参照しつつ、本発明の一実施形態について説明する。図１は、本発明の一実施形態に係るプリンター１００（画像形成装置）の斜視図である。図２は、図１に示されるプリンター１００の内部構造を概略的に示す断面図である。図１および図２に示される画像形成装置としてのプリンター１００は、いわゆるモノクロプリンター機であるが、他の実施形態において、画像形成装置は、カラープリンター、ファクシミリ装置、これらの機能を備える複合機、またはトナー画像をシートに形成するための他の装置であってもよい。尚、以下の説明で用いられる「上」、「下」、「前」、「後」、「左」、または「右」のような方向を表す用語は、単に、説明の明瞭化を目的とするものであり、画像形成装置の原理を何ら限定するものではない。
【００２５】
プリンター１００は、シートＳに画像を形成するための様々な装置を収容する筐体２００（装置本体）を備える。筐体２００は、筐体２００の上面を規定する上壁２０１（壁面）と、筐体２００の後側に立設される背面壁２４５と、背面壁２４５の前方に位置する前壁２３５とを含む。筐体２００は、各種の装置が配置される本体内部空間２６０を備える。本体内部空間２６０には、シートＳが搬送される内部搬送路ＳＰが延設されている。また、プリンター１００は、筐体２００に対して開閉自在に装着される手差しトレイ５０を備える。
【００２６】
上壁２０１の中央部には、排紙部２１０が配置される。排紙部２１０は、上壁２０１の前方部分から後方部分にかけて、下方に傾斜した傾斜面を有する。排紙部２１０には、画像形成部１２０において画像が形成されたシートＳが、排出される。
【００２７】
図２を参照して、プリンター１００は、カセット１１０と、ピックアップローラー１１２と、第１給紙ローラー１１３と、第２給紙ローラー１１４と、搬送ローラー１１５と、レジストローラー対１１６と、画像形成部１２０とを備える。画像形成部１２０は、筐体２００の内部に配置され、シートＳに画像を形成する。
【００２８】
カセット１１０は、内部にシートＳを収容する。カセット１１０は、シートＳを支持するリフト板１１１を備える。リフト板１１１は、シートＳの先頭縁を押し上げるように傾斜する。
【００２９】
ピックアップローラー１１２は、リフト板１１１によって押し上げられたシートＳの先頭縁上に配置され、シートＳを送りだす。第１給紙ローラー１１３は、シートＳの搬送方向に対してピックアップローラー１１２の下流に配設され、シートＳを更に下流に送り出す。第２給紙ローラー１１４は、手差しトレイ５０の支点５０Ｓの内側（後側）に配設される。第２給紙ローラー１１４は、手差しトレイ５０上のシートＳを筐体２００内に引き込む。使用者は、カセット１１０に収容されたシートＳ、または手差しトレイ５０の上に載置されたシートＳを選択的に使用することができる。
【００３０】
搬送ローラー１１５は、第１給紙ローラー１１３、または第２給紙ローラー１１４によって送り出されたシートＳを更にシートＳの搬送方向の下流へ搬送する。レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３１】
画像形成部１２０は、感光体ドラム１２１と、帯電器１２２と、露光装置１２３と、現像装置１２４と、トナーコンテナ１２５と、転写ローラー１２６と、クリーニング装置１２７とを備える。
【００３２】
感光体ドラム１２１は、周面に静電潜像が形成されるとともに、該静電潜像に応じたトナー画像を担持する。帯電器１２２は、感光体ドラム１２１の周面を略一様に帯電させる。露光装置１２３は、帯電器１２２によって帯電された感光体ドラム１２１の周面に、レーザー光を照射する。
【００３３】
現像装置１２４は、静電潜像が形成された感光体ドラム１２１の周面にトナーを供給する。トナーコンテナ１２５は、現像装置１２４へトナーを供給する。現像装置１２４がトナーを感光体ドラム１２１に供給すると、感光体ドラム１２１の周面に形成された静電潜像が現像（可視化）される。
【００３４】
転写ローラー１２６は、感光体ドラム１２１の周面に当接するように、回転可能に配設される。レジストローラー対１１６から搬送されたシートＳが、感光体ドラム１２１と転写ローラー１２６との間を通過するときに、感光体ドラム１２１の周面に形成されたトナー画像が、シートＳに転写される。クリーニング装置１２７は、シートＳへトナー画像が転写された後に、感光体ドラム１２１の周面に残るトナーを除去する。
【００３５】
プリンター１００は、画像形成部１２０よりも搬送方向下流側に、シートＳ上のトナー画像を定着させる定着装置１３０を更に備える。定着装置１３０は、シートＳ上のトナーを溶融させる加熱ローラー１３１と、シートＳを加熱ローラー１３１に密着させる圧力ローラー１３２とを備える。
【００３６】
プリンター１００は、定着装置１３０の下流に配設された搬送ローラー対１３３と、搬送ローラー対１３３の下流に配設された排出ローラー対１３４とを更に備える。シートＳは、搬送ローラー対１３３によって上方に搬送され、最終的に、排出ローラー対１３４によって、筐体２００から排出される。筐体２００から排出されたシートＳは、排紙部２１０上に積み重ねられる。
【００３７】
図３は、本実施形態に係るプリンター１００の外観の一部を拡大した斜視図である。図４Ａは、プリンター１００の操作部６の断面斜視図である。図４Ｂは、プリンター１００の操作部６の断面図である。図４Ｃは、図４Ｂの操作部６の一部の断面図である。図５は、操作部６周辺の筐体２００の一部（上壁カバー２０１Ａ）の斜視図である。図６は、プリンター１００の発光部６１の斜視図である。
【００３８】
図３および図４Ａを参照して、プリンター１００は、操作部６を備える。操作部６は、筐体２００の外周部、詳しくは、筐体２００の上壁カバー２０１Ａに配置されている。上壁カバー２０１Ａは、筐体２００の上壁２０１の前側かつ右側の角部に相当する。上壁カバー２０１Ａは、上壁２０１（筐体２００）とは別部品からなり、上壁２０１に装着して固定される（図５参照）。この結果、上壁カバー２０１Ａの上面部は、上壁２０１の一部を形成する。上壁カバー２０１Ａは、基準面２０１Ｂを備える。基準面２０１Ｂは、上壁カバー２０１Ａの上面部（上壁２０１）の一部が凹没して形成される。基準面２０１Ｂは、上壁カバー２０１Ａの上面部と平行に配置されている。
【００３９】
操作部６は、複数の操作キー２０２と、基板２０３と、ＬＣＤパネル２０４（表示部）と、スイッチ端子２０５と、発光部６１とを備える。操作キー２０２は、基準面２０１Ｂから上方に突出するように配置される。図３に示すように、本実施形態では、操作キー２０２は、前後および左右方向に３列ずつ、計９つ配置されている。基板２０３は、基準面２０１Ｂの下方（内部）において、基準面２０１Ｂと平行に配置される電気基板である。
【００４０】
ＬＣＤパネル２０４は、基準面２０１Ｂに沿って配置され、プリンター１００の印刷情報など所定の情報が表示される。図４Ｂに示すように、ユーザーの視認性を向上させるために、ＬＣＤパネル２０４の表示面は僅かに前方に向かって先下がりに配置されている。ＬＣＤパネル２０４は、基板２０３に支持されるとともに、基板２０３に電気的に接続されている。
【００４１】
スイッチ端子２０５は、ＬＣＤパネル２０４の前方において、基板２０３に配置されている。スイッチ端子２０５は、各操作キー２０２の下方に位置するように、９つ配置されている。ユーザーによって操作キー２０２が押し下げられると、スイッチ端子２０５がオンされ、基板２０３において所定の電気信号が発生する。
【００４２】
発光部６１は、操作部６の前方に隣接して配置されている（図４Ａ、図４Ｂ）。発光部６１は、所定の報知情報に基づいて発光する。一例として、プリンター１００において紙詰まりが発生した場合やトナーが空になった場合などにおいて、発光部６１が所定の色に発光する。図４Ａおよび図４Ｂに示すように、発光部６１は、上壁カバー２０１Ａ（上壁２０１）よりも筐体２００の外側に突出するように基準面２０１Ｂから上方に突設されている。
【００４３】
発光部６１は、ＬＥＤ２０６（発光素子）と、導光体６１２とを備える。ＬＥＤ２０６は、基準面２０１Ｂよりも筐体２００の内側において、基板２０３上に配置されている。ＬＥＤ２０６は、左右方向（基準面２０１Ｂに沿った第１方向）に間隔をおいて複数（３つ）配置されている。それぞれのＬＥＤ２０６は、異なる色に発光するものでもよい。
【００４４】
図４Ｂを参照して、導光体６１２は、ＬＥＤ２０６を囲むようにＬＥＤ２０６に対向して配置されている。また、導光体６１２は、基準面２０１Ｂから上壁カバー２０１Ａよりも筐体２００の外側に至るまで突設されている。図６を参照して、導光体６１２は、３つのＬＥＤ２０６に対応して、３つ配置されている。すなわち、導光体６１２も左右方向（基準面２０１Ｂに沿った第１方向）に間隔をおいて複数（３つ）配置されている。３つの導光体６１２は、導光体６１２と一体的に成型される連結部６１３によって連結されている。また、それぞれの導光体６１２の上端部に、ユーザーによって視認される発光点６１１が配置されている。このように、本実施形態では、ＬＥＤ２０６および導光体６１２が複数配置されているため、光の色または発光点の数によって、異なる装置情報をユーザーに報知することができる。
【００４５】
図５を参照して、上壁カバー２０１Ａは、前述の基準面２０１Ｂに加え、パネル用開口部２０１Ｃと、スイッチ用開口部２０１Ｄと、導光体用開口部２０１Ｅと、押さえ部材装着部２０１Ｆと、カバー装着開口部２０１Ｇとを備える。
【００４６】
パネル用開口部２０１Ｃは、基準面２０１Ｂの後側に形成された矩形状の開口部である。パネル用開口部２０１Ｃは、ＬＣＤパネル２０４の上方に位置する（図４Ｂ、図４Ｃ）。パネル用開口部２０１Ｃを介して、ＬＣＤパネル２０４が筐体２００の外側に露出する。スイッチ用開口部２０１Ｄは、パネル用開口部２０１Ｃの前側に開口された９つの開口部である。スイッチ用開口部２０１Ｄには、前述の操作キー２０２が挿通される。導光体用開口部２０１Ｅは、スイッチ用開口部２０１Ｄの前側に開口された３つの開口部である。導光体用開口部２０１Ｅには、前述の導光体６１２が挿通される。押さえ部材装着部２０１Ｆは、導光体用開口部２０１Ｅの左右に開口された一対の開口部である。押さえ部材装着部２０１Ｆには、後記の押さえ部材６２の円筒片６２３が装着される。カバー装着開口部２０１Ｇは、基準面２０１Ｂの前側端部において、上壁カバー２０１Ａの上面部と基準面２０１Ｂとの間の段差に開口された細長形状の開口部である。カバー装着開口部２０１Ｇには、後記のカバー６０の装着片６０１が装着される。
【００４７】
更に、プリンター１００は、カバー６０（カバー部材）と、表示シート７０（図４Ｂ）（情報シート）と、押さえ部材６２とを備える。図７は、プリンター１００のカバー６０の斜視図である。図８Ａは、押さえ部材６２の斜視図である。図８Ｂは、押さえ部材６２の一部を拡大した断面斜視図である。
【００４８】
カバー６０は、ＬＣＤパネル２０４および操作キー２０２の周囲を覆うように、基準面２０１Ｂに対向して配置される。カバー６０は、一辺が左右方向に沿うように配置された略矩形形状からなる。本実施形態では、カバー６０は透明部材からなるため、ＬＣＤパネル２０４の表示情報がユーザーによって安定して視認される。カバー６０が装着されることで、ＬＣＤパネル２０４や操作キー２０２の周辺が汚れることが抑止される。図７を参照して、カバー６０は、装着片６０１と、被押さえ部６０２と、カバー開口部６０３（操作キー用開口部）とを備える。
【００４９】
装着片６０１は、カバー６０の後側の辺から突設された突片である。装着片６０１の上下方向の厚さはカバー６０の厚さよりも小さく設定されている。被押さえ部６０２は、カバー６０の前側の辺から突設された突片である。被押さえ部６０２の上下方向の厚さもカバー６０の厚さよりも小さく設定されている。なお、装着片６０１および被押さえ部６０２の下面部は、カバー６０の下面部と面一とされている。
【００５０】
カバー開口部６０３は、カバー６０の前側部分に配置された９つの開口部である。カバー開口部６０３は、図５のスイッチ用開口部２０１Ｄに対向して配置される。操作キー２０２がスイッチ用開口部２０１Ｄおよびカバー開口部６０３に挿通され、操作キー２０２が操作部６の上側に露出する。この結果、操作部６にカバー６０が装着された状態でも、ユーザーは操作キー２０２にアクセスすることができる。
【００５１】
表示シート７０は、基準面２０１Ｂとカバー６０との間に配置されるシート部材である。表示シート７０は、紙または樹脂からなる。表示シート７０は、図７に示すカバー６０と略同じ形状からなり、カバー開口部６０３と同様の開口部を備える。更に、ＬＣＤパネル２０４に表示される表示情報を操作部６の外側に露出させるために、表示シート７０には、図５のパネル用開口部２０１Ｃと同様の開口部（不図示）が形成されている。表示シート７０には、操作キー２０２の操作情報が表示されている。一例として、表示シート７０には、操作キー２０２のキー番号などが印字されている。表示シート７０に表示された操作情報によって、操作キー２０２の操作性が向上される。このような操作情報は、プリンター１００が使用される国（仕向け先）に応じて、異なる言語で表示される。また、表示シート７０の上方をカバー６０が覆うことで、表示シート７０が汚れることが防止される。
【００５２】
図９Ａおよび図９Ｂは、本実施形態に係るプリンター１００の操作部６の一部（前側部分）の断面図である。図９Ａは、押さえ部材６２の円筒片６２３を通る断面図である。図９Ｂは、発光部６１の導光体６１２を通る断面図である。図９Ｃは、操作部６の一部（後側部分）の断面図である。図１０Ａおよび図１０Ｂは、操作部６の一部の断面斜視図である。図１０Ａは、操作部６において、カバー６０および押さえ部材６２が取り外された状態を示しており、図１０Ｂは、図１０Ａにカバー６０および押さえ部材６２が取り付けられた状態を示している。なお、図１０Ａおよび図１０Ｂでは、操作キー２０２の図示を省略している。
【００５３】
押さえ部材６２は、操作部６の前側に配置されている（図３、図４Ａ、図４Ｂ）。図８Ａを参照して、押さえ部材６２は、左右方向に延びる樹脂材料からなる部材である。押さえ部材６２は、押さえ部６２１と、切欠き部６２２（支持部）と、円筒片６２３とを備える。押さえ部材６２は、筐体２００の上壁カバー２０１Ａに対して着脱可能とされる。また、図９Ａを参照して、上下および前後方向を含む断面視において、押さえ部材６２は略三角形状からなる。
【００５４】
押さえ部６２１は、押さえ部材６２の後側部分に配置されている。押さえ部６２１（図８Ｂ）は、カバー６０を基準面２０１Ｂに向かって押さえる機能を備える。
【００５５】
切欠き部６２２は、押さえ部材６２の前側部分の一部が上下方向に沿って切り欠かれることで形成されている。切欠き部６２２は、左右方向（第１方向）に間隔をおいて複数（３つ）形成され、発光部６１の導光体６１２がそれぞれ挿通される。この結果、切欠き部６２２は、発光部６１の一部を筐体２００の外部に露出させるように発光部６１を支持する機能を備える。特に、切欠き部６２２は、発光部６１の導光体６１２のうち基準面２０１Ｂから上方に突出した領域を支持する。
【００５６】
図１０Ａに示すように、操作部６からカバー６０および押さえ部材６２が取り外された状態では、３つの導光体６１２の上方部分が露出している。この状態では、ユーザーが誤って導光体６１２に触れた場合、導光体６１２が破損しやすい。また、ＬＣＤパネル２０４の上面や操作キー２０２の周辺に埃や異物が進入すると、操作部６の操作性が低下してしまう。更に、基準面２０１Ｂの上面に、表示シート７０（図４Ｂ）が配置される場合も、表示シート７０が汚れると、操作キー２０２の操作性が低下する。このため、前述のように、操作部６にはカバー６０が配置される。図９Ｃに示すように、カバー６０の装着片６０１が上壁カバー２０１Ａのカバー装着開口部２０１Ｇに後方に向かって挿入されることにより、カバー６０の装着が容易に実現される。
【００５７】
その後、図１０Ａから図１０Ｂに示すように、操作部６に押さえ部材６２が装着される。詳しくは、上壁カバー２０１Ａの前側に形成された一対の押さえ部材装着部２０１Ｆに、押さえ部材６２の円筒片６２３が挿入される。この際、図１０Ｂに示すように、円筒片６２３の先端部に形成された爪部（図８Ａ参照）が、押さえ部材装着部２０１Ｆの下端部に係合することで、押さえ部材６２が固定される。なお、ユーザーによって押さえ部材６２が上方に持ち上げられることで、円筒片６２３は押さえ部材装着部２０１Ｆから容易に脱離される。
【００５８】
押さえ部材６２が上壁カバー２０１Ａに装着される際に、押さえ部材６２に形成された３つの切欠き部６２２にそれぞれ導光体６１２が挿通される。そして、図１０Ｂに示すように、発光部６１の発光点６１１が上壁カバー２０１Ａよりも上方に露出する。
【００５９】
一方、押さえ部材６２の押さえ部６２１は、左右方向（第１方向）と交差する前後方向（第２方向）において、切欠き部６２２とは反対側で、カバー６０の被押さえ部６０２（一辺）を押さえる。このため、カバー６０の前後の端部が固定され、カバー６０が外れることが防止される。
【００６０】
このように、本実施形態では、押さえ部材６２は、カバー６０を押さえ、固定する機能と、発光部６１を支持する機能とを備える。特に、押さえ部材６２の前後方向の一端側と他端側とを利用して、導光体６１２が支持されるとともに、カバー６０が押さえられる。更に、押さえ部材６２が上壁カバー２０１Ａから脱離されることで、カバー６０の内側や発光部６１の一部（導光体６１２）を清掃することが可能となる。
【００６１】
更に、本実施形態では、発光部６１の導光体６１２は筐体２００の上壁２０１から突出するように配置される。このため、筐体２００の外部からユーザーによって発光部６１が視認されやすく、所定の報知情報が認識されやすくなる。更に、押さえ部材６２の切欠き部６２２が発光部６１のうち基準面２０１Ｂから突出した領域を支持するため、発光部６１の導光体６１２の破損が防止される。また、押さえ部材６２に形成された切欠き部６２２に導光体６１２が挿通されることで、導光体６１２が安定して支持される。また、図４Ｂに示すように、ＬＥＤ２０６が基準面２０１Ｂよりも筐体２００（基準面２０１Ｂ）の内側に配置されているため、ＬＥＤ２０６に強い外力が加わることが防止される。また、ＬＥＤ２０６の光が導光体６１２によって筐体２００の上壁カバー２０１Ａよりも外側に導かれる。
【００６２】
更に、本実施形態では、導光体６１２の発光点６１１が上壁２０１から上方に突出しているため、プリンター１００から離れた場所からもユーザーがプリンター１００の状態を把握することができる。また、押さえ部材６２の押さえ部６２１側は後方に向かって先下がりの傾斜面からなるため、前方からプリンター１００に近づいたユーザーは、速やかに操作部６の操作キー２０２およびＬＣＤパネル２０４を視認することができるとともに、操作キー２０２にアクセスすることができる。
【００６３】
以上、本発明の実施形態に係るプリンター１００（画像形成装置）について説明したが、本発明はこれに限定されるものではなく、例えば次のような変形実施形態を取ることができる。
【００６４】
（１）上記の実施形態では、操作部６がＬＣＤパネル２０４および操作キー２０２を備える態様にて説明したが、本発明はこれに限定されるものではない。操作部６は、ＬＣＤパネル２０４および操作キー２０２の一方を備えるものでもよい。
【００６５】
（２）また、上記の実施形態では、操作部６に表示シート７０が備えられる態様にて説明したが、本発明はこれに限定されるものではない。操作部６が表示シート７０を備えることなく、基準面２０１Ｂやカバー６０に、操作キー２０２の操作情報が印字される態様でもよい。また、カバー６０は、透明部材に限定されるものではなく、半透明やその他の色が施されたものでもよい。
【図１】
2015182324.tif 000003
【図２】
2015182324.tif 000004
【図３】
2015182324.tif 000005
【図４Ａ】
2015182324.tif 000006
【図４Ｂ】
2015182324.tif 000007
【図４Ｃ】
2015182324.tif 000008
【図５】
2015182324.tif 000009
【図６】
2015182324.tif 000010
【図７】
2015182324.tif 000011
【図８Ａ】
2015182324.tif 000012
【図８Ｂ】
2015182324.tif 000013
【図９Ａ】
2015182324.tif 000014
【図９Ｂ】
2015182324.tif 000015
【図９Ｃ】
2015182324.tif 000016
【図１０Ａ】
2015182324.tif 000017
【図１０Ｂ】
2015182324.tif 000018
【国際調査報告】
2015182324.tif 000019
2015182324.tif 000020